(57)【要約】【課題】  水洗便器のロータンク７０を大型化することなく、１回の使用で手洗器２０に流れる水の量を大幅に増やすことが可能な水洗便器のロータンク７０を提供する。【解決手段】  蓄水するための空間を内部に有するタンク１と、前記蓄水された水の水位が所定水位を超えると止水する給水管１１を有する給水管１０と、給水管１０と連通した吐水器２３からの水が手洗い鉢２１の底面に配された排水口２２を通じてタンク１の内部へと排水されるようにタンク１の上部に配された手洗器２０と、を備えた水洗便器のロータンク７０において、手洗器２０からの排水の一部をタンク１の外部へと流すための分流機構３０を備えている。【選択図】図１
2006083592.tif 000002
【特許請求の範囲】
【請求項１】
蓄水するための空間を内部に有するタンクと、前記蓄水された水の水位が所定水位を超えると止水する止水機構を有する給水管と、給水管と連通した吐水器からの水が手洗い鉢の底面に配された排水口を通じてタンクの内部へと排水されるようにタンクの上部に配された手洗器と、を備えた水洗便器のロータンクにおいて、手洗器からの排水の一部をタンクの外部へと流すための分流機構を備えたことを特徴とする水洗便器のロータンク。
【請求項２】
前記分流機構が、一方の端部が前記所定水位より上面となるようにタンクの内部に立設して設けられた排水管と、手洗器から排水された水を受水可能な位置に配されて底部に排水管へ排水するための外部排水用開口とタンクの内部へ排水するための内部排水用開口とを有する水受けトレイと、よりなることを特徴とする請求項１に記載の水洗便器のロータンク。
【請求項３】
前記水受けトレイが、外部排水用開口または／および内部排水用開口の少なくとも一部を塞ぐために底面に沿ってスライド移動可能に設けられた遮蔽板を備えたことを特徴とする請求項２に記載の水洗便器のロータンク。
【請求項４】
前記水受けトレイが、遮蔽板が内部排水用開口の全体を塞ぐ位置に配されることを防止するためのストッパー機構を備えたことを特徴とする請求項３に記載の便器のロータンク。
【請求項５】
前記排水管の端部が、前記所定水位の近傍に配置されていることを特徴とする請求項２に記載の水洗便器のロータンク。
【発明の詳細な説明】
【技術分野】
【０００１】
本願発明は、主に家庭用等のトイレに用いられる水洗便器のロータンクに係り、特に上部に手洗器を備えたロータンクに関する。
【背景技術】
【０００２】
従来から、上部に手洗器を備えた水洗便器のロータンクには、蓄水するための空間を内部に有するタンクと、この蓄水された水の水位が所定水位を超えると止水する給水管１０を有する給水管と、この給水管と連通した吐水器からの水が手洗い鉢の底面に配された排水口を通じてタンクの内部へと排水されるようにタンクの上部に配された手洗器と、を備えた水洗便器のロータンクが知られている。
【０００３】
そして、この水洗便器に温水洗浄機能を備えたものでは、ロータンク内にサービスタンクを有するものでは、特開平０７−０５４３８７号公報に示される如く、ロータンク内にサービスタンクを有して、ロータンクの上部内壁に取り付けられたトレイ部と、ロータンクの底部に取り付けられ上方へ軸管を介し姿勢を保持して延出された頸部を有するタンク部とを備えて、トレイ部に形成した接続管をこの頸部に挿入してトレイ部とタンク部が連結するように成して、サービスタンクと給水管との接続作業を容易にしているものもある。
【０００４】
しかしながら、このような構造を備えた水洗便器のロータンクでは、手洗器を流れた水は、全てロータンクの内部に蓄水されて、かつロータンクの内部に蓄水された水が便器本体の洗浄用に用いる水の量を超えると給水管を止水するような構造を備えているので、１回の使用において手洗器に流れる水の量は便器本体の洗浄用に用いる水の量とほぼ同じ量となり、十分に手洗いを行いたい人にとっては手洗器に流れる水の量が不足ぎみであった。そして、この問題は便器本体の洗浄用に用いる水の量を増加させることにより解決できるが、その際にはより大容量のタンクが必要となり、ロータンクの大型化を招くという別の不具合があった。
【特許文献１】特開平０７−０５４３８７号公報
【発明の開示】
【発明が解決しようとする課題】
【０００５】
本願発明は、上記背景技術に鑑みて発明されたものであり、その課題は、水洗便器のロータンクを大型化することなく、使用時に手洗器に流れる水の量を大幅に増やすことが可能な水洗便器のロータンクを提供することである。
【課題を解決するための手段】
【０００６】
上記課題を解決するために、本願発明は、蓄水するための空間を内部に有するタンクと、前記蓄水された水の水位が所定水位を超えると止水する止水機構を有する給水管と、給水管と連通した吐水器からの水が手洗い鉢の底面に配された排水口を通じてタンクの内部へと排水されるようにタンクの上部に配された手洗器と、を備えた水洗便器のロータンクにおいて、手洗器からの排水をタンクの外部と内部へと分流するための分流機構を備えている。
【発明の効果】
【０００７】
本願発明の水洗便器のロータンクにおいては、手洗器からの排水の一部をタンクの外部へと流すための分流機構を備えているので、水洗便器のロータンクを大型化することなく、使用時に手洗器に流れる水の量を大幅に増やすことができる。
【発明を実施するための最良の形態】
【０００８】
図１は、本願発明の請求項１から５の全てに対応した実施形態の水洗便器のロータンク７０を示している。また、図２はロータンク７０の内部の要部拡大図を示している。この実施形態で用いる水洗便器のロータンク７０は、蓄水するための空間を内部に有するタンク１と、この蓄水された水の水位が所定水位を超えると止水する給水管１１を有する給水管１０と、給水管１０と連通した吐水器２３からの水が手洗い鉢２１の底面に配された排水口２２を通じてタンク１の内部へと排水されるようにタンク１の上部に配された手洗器２０と、を備えた水洗便器のロータンク７０において、手洗器２０からの排水の一部をタンク１の外部へと流すための分流機構３０を備えている。
【０００９】
又、この実施形態で用いる水洗便器のロータンク７０は、分流機構３０が、一方の端部が前記所定水位より上面となるようにタンク１の内部に立設して設けられた排水管３４と、手洗器２０から排水された水を受水可能な位置に配されて底部に排水管３４へ排水するための外部排水用開口３２とタンク１の内部へ排水するための内部排水用開口３３とを有する水受けトレイ３１と、よりなっている。
【００１０】
又、この実施形態で用いる水洗便器のロータンク７０は、水受けトレイ３１が、外部排水用開口３２または／および内部排水用開口３３の少なくとも一部を塞ぐために底面に沿ってスライド移動可能に設けられた遮蔽板３６を備えている。
【００１１】
又、この実施形態で用いる水洗便器のロータンク７０は、水受けトレイ３１が、遮蔽板３６が内部排水用開口３３の全体を塞ぐ位置に配されることを防止するためのストッパー機構３８を備えている。
【００１２】
又、この実施形態で用いる水洗便器のロータンク７０は、排水管３４の端部が所定水位の近傍に配置されているものである。
【００１３】
以下、この実施形態の水洗便器のロータンク７０を、より具体的に説明する。この実施形態の水洗便器のロータンク７０は、主に家庭用のトイレに用いられており、便器本体８０へ流す洗浄用の水を内部に溜めておくためのタンク１と、タンク１の上部に備えられて手洗いのための水を吐出した後その水をタンク１の内部へ排水する水洗器と、タンク１の内部の蓄水量が一定量となるまで水洗器を経由してタンク１の内部に水を供給する給水管１０と、手洗器２０からタンク１の内部に排水された水の一部をタンク１の外部へと流すための分流機構３０と、操作レバー６１を操作することによりタンク１の内部に蓄水された水を洗浄用の水として便器本体８０に流すための連結管開閉機構６０と、タンク１の内部の蓄水量が所定水位を超えたときに過剰となった水を便器本体８０へと排水するために所定水位よりも高い位置に開口を備えてタンク１の内部に立設して設けられた便器排水用オーバーフロー管５０と、を備えている。この実施形態の主要な構成であるタンク１、水洗器、給水管１０、分流機構３０、連結管開閉機構６０に関して以下に詳細に説明する。
【００１４】
タンク１は、内部に便器本体８０に流す水を蓄水するための空洞を備えて、上面が開口された構造を成しており、その一方の外側面には手洗器２０を経由してタンク１の内部に水を供給するための外部給水管１５が、他方の外側面には操作レバー６１が、また外底面には分流機構３０で分流された水が流れる外部排水管３５および便器本体８０と連通した連結管６４が、各々設置されているものである。
【００１５】
給水管１０は、タンク１の内側面に外部給水管１５と連通するように設けられたボールタップユニット１２とそのボールタップユニット１２に取り付けられてタンク１の水の水位に応じて上下移動する浮き１３で構成される給水管１１と、その給水管１１と手洗器２０とを連通させたパイプ１４と、を備えているものである。そして、この浮き１３が所定の位置よりも高い位置に、タンク１の水により押し上げられると、ボールタップユニット１２に内蔵されている止水弁が閉じて、外部給水管１５と手洗器２０との連通が閉鎖されて止水するものとなっている。
【００１６】
手洗器２０は、タンク１の空洞を閉鎖するようにタンク１の上部に配されて中央が凹んだすり鉢形状を有する手洗い鉢２１と、手洗い鉢２１の端部表面に設けられて給水管１０のパイプ１４と連通する貫通孔を備えた吐水器２３と、手洗い鉢２１の底面中央に下方向への貫通孔となっている排水口２２と、を備えている。そして、給水管１０から供給された水が手洗い吐出管の吐出口から手洗い可能となるように吐出されて、その吐出された水がすり鉢形状の手洗い鉢２１により底面中央付近に集水されつつ、排水口２２を通じて下方向に排水されるものとなっている。
【００１７】
分流機構３０は、所定水位よりも高い位置に開口を備えて外部配水管と連通するようにタンク１の内部に立設して設けられた排水管３４と、手洗い器の排水口２２と排水管３４の開口との間の高さ及び水平方向位置に設けられてタンク１の内側面に固定された水平断面が略Ｌ字形状の水受けトレイ３１と、を備えている。そして、この水受けトレイ３１は、内部に水を溜めるための側壁を端部に備えて、かつその底面には溜められた水が排水管３４およびタンク１の内部にそれぞれ一定割合で流れることが可能なように、排水管３４の真上とその近傍に各々外部排水用開口３２と内部排水用開口３３が設けられている。また、この外部排水用開口３２と内部排水用開口３３の開口面積は、水受けトレイ３１に水を溜めることができるように手洗器２０の排出口よりも小さいものとなっている。さらには、この水受けトレイ３１の対向する内側壁には横方向の溝３７が形成されており、その溝３７に嵌め込まれた平板状の遮蔽板３６が底面に沿って移動して外部排水用開口３２または／および内部排水用開口３３の一部を塞ぐことが可能なようになっている。そして、水受けトレイ３１の内部排水用開口３３の近傍には遮蔽板３６が内部排水用開口３３の全体を塞ぐ位置に配されることを防止するためのストッパー機構３８となる凸部３９も設けられている。これらの構成を備えることにより、手洗い器の排出口より排水された水が水受けトレイ３１に溜められつつ、外部排水用開口３２と内部排水用開口３３の２経路に分流されて、外部排水用開口３２に流れた水は排水管３４を通じて外部排水管３５に排水され、内部排水用開口３３に流れた水は下方向に吐水されてタンク１の内部に蓄水されるものとなっている。また、外部排水用開口３２と内部排水用開口３３の実質的な開口比を、遮蔽板３６を移動させることにより変更可能とすることができるので、容易に給水管１０から供給される水の量を調整することができる。さらには、所定水位よりも少し高い位置（近傍）に開口を備えるように排水管３４の開口が設けられており、これにより便器排水用オーバーフロー管５０と同様にタンク１の内部に蓄水された過剰となった水を便器本体８０へと排水できるものとなっている。
【００１８】
連結管開閉機構６０は、タンク１の内部と便器本体８０の内部を繋ぐ連結管６４と、連結管６４とタンク１の連結部に連結管６４を塞ぐように設けられた洗浄弁６２と、タンク１の外側面に設けられた操作レバー６１と、操作レバー６１と連結して回転するようにタンク１の内部に設けられたＬ字棒６５と、Ｌ字棒６５の端部と洗浄弁６２とを繋いだ鎖６３と、便器本体８０の排出管の開閉弁とＬ字棒６５とを繋いだケーブル６６と、で構成されている。そして、操作レバー６１を回転させることにより、操作レバー６１に連結したＬ字棒６５が回転し、Ｌ字棒６５の端部が洗浄弁６２に繋がった鎖６３を引っ張り、洗浄弁６２が連結管６４の端部より外れて、タンク１の内部と便器本体８０の内部が連通した状態となり、タンク１の内部に蓄水された水が便器本体８０へと流れ込むしくみとなっている。また、Ｌ字棒６５には便器本体８０の排水管３４の開閉弁と繋がっているケーブル６６も連結されているので、このケーブル６６も同時に引っ張られることにより、便器本体８０の排水管３４の開閉弁が開状態となり、便器本体８０に流れ込んだタンク１の水が便器本体８０に溜まることなく外部へ排出されるようになっているものである。
【００１９】
これらにより、便器本体８０に洗浄液を流す際には連結管開閉機構６０の操作レバー６１を操作することにより、連結管開閉機構６０が開状態となり、タンク１から便器本体８０へとタンク１に蓄水された水が流れ込み、操作レバー６１を元の状態に戻すとタンク１の内部に所定の水位まで水が蓄水され、かつこのとき手洗器２０に流れる水はタンク１から便器本体８０に流れる水よりも多くの水を流すことが可能となる。
【００２０】
以上の構成を備えることにより、蓄水するための空間を内部に有するタンク１と、前記蓄水された水の水位が所定水位を超えると止水する給水管１１を有する給水管１０と、給水管１０と連通した吐水器２３からの水が手洗い鉢２１の底面に配された排水口２２を通じてタンク１の内部へと排水されるようにタンク１の上部に配された手洗器２０と、を備えた水洗便器のロータンク７０において、手洗器２０からの排水の一部をタンク１の外部へと流すための分流機構３０を備えているので、水洗便器のロータンク７０を大型化することなく、使用時に手洗器２０に流れる水の量を大幅に増やすことができる。
【００２１】
又、分流機構３０が、一方の端部が所定水位より上面となるようにタンク１の内部に立設して設けられた排水管３４と、手洗器２０から排水された水を受水可能な位置に配されて底部に排水管３４へ排水するための外部排水用開口３２とタンク１の内部へ排水するための内部排水用開口３３とを有する水受けトレイ３１と、よりなっているので、一度水受けトレイ３１に溜めてから水を分流することとなり、少ない水量でも正確に分流することが可能となる。
【００２２】
又、水受けトレイ３１が、外部排水用開口３２または／および内部排水用開口３３の少なくとも一部を塞ぐために底面に沿ってスライド移動可能に設けられた遮蔽板３６を備えているので、分流比が容易に調整可能となり、手洗器２０に給水される水量を調整できる。
【００２３】
又、水受けトレイ３１が、遮蔽板３６が内部排水用開口３３の全体を塞ぐ位置に配されることを防止するためのストッパー機構３８を備えているので、手洗器２０から給水され続けることを防止する。
【００２４】
又、排水管３４の端部が、前記所定水位の近傍に配置されているので、排水管３４をオーバーフロー管として使用可能となる。
【００２５】
なお、上記実施形態の分流機構３０は、排水管３４を経由して外部排水管３５に手洗器２０からの排水の一部を流す構造としたが、便器排水用オーバーフロー管５０等を経由して便器本体８０に流す構造としても良い。
【図面の簡単な説明】
【００２６】
【図１】本願発明の実施形態に係る水洗便器のロータンクを示す透視斜視図。
【図２】本願発明の実施形態に係る水洗便器のロータンクの分流機構を示す斜視図。
【符号の説明】
【００２７】
１    タンク
１０  給水管
１１  止水機構
１２  ボールタップユニット
１３  浮き
１４  パイプ
１５  外部給水管
２０  手洗器
２１  手洗い鉢
２２  排水口
２３  吐水器
３０  分流機構
３１  水受けトレイ
３２  外部排水用開口
３３  内部排水用開口
３４  排水管
３５  外部排水管
３６  遮蔽板
３７  溝
３８  ストッパー機構
３９  凸部
５０  便器排水用オーバーフロー管
６０  連結管開閉機構
６１  操作レバー
６２  洗浄弁
６３  鎖
６４  連結管
６５  Ｌ字棒
６６  ケーブル
７０  ロータンク
８０  便器本体
【図１】
2006083592.tif 000003
【図２】
2006083592.tif 000004